(57)【特許請求の範囲】
【請求項１】
排ガスが供給され、前記排ガスに含まれる炭酸ガスを吸収液に吸収させて炭酸ガス含有吸収液を生成する吸収塔と、
前記吸収塔から前記炭酸ガス含有吸収液が供給され、前記炭酸ガス含有吸収液を高温の水蒸気で加熱し前記炭酸ガスを放出させて再生吸収液にする再生塔と、
前記再生塔から前記再生吸収液が供給され、前記再生吸収液を加熱用水蒸気で加熱して前記再生吸収液に含まれる水の一部を前記高温の水蒸気にして前記再生塔に戻すリボイラーと、
前記再生塔から送出された前記再生吸収液と前記吸収塔から送出された前記炭酸ガス含有吸収液との間で熱交換する熱交換器と、
前記熱交換器から送出された前記再生吸収液を予冷する再生吸収液冷却器と、
冷媒を吸収した吸収液が再生器において駆動用水蒸気で加熱されることによって前記冷媒が蒸発され、蒸発した前記冷媒が凝縮器で凝縮され、凝縮された前記冷媒が低圧の蒸発器で蒸発され、蒸発した前記冷媒が吸収器で前記吸収液に吸収される吸収式ヒートポンプであって、前記熱交換器で昇温された前記炭酸ガス含有吸収液が供給され、前記吸収器の伝熱管および前記凝縮器の伝熱管を介して前記再生塔に送出し、前記熱交換器および前記再生吸収液冷却器で降温された前記再生吸収液が供給され、前記蒸発器の伝熱管を介して前記吸収塔に前記吸収液として環流させる吸収式ヒートポンプと、
前記再生塔から前記炭酸ガスとともに供給された水蒸気を凝縮させて前記炭酸ガスを分離する炭酸ガス分離器と、
を備える炭酸ガス回収システム。
【請求項２】
水素ガスと炭酸ガスとを水素化反応触媒下で水素化反応させて炭化水素を含む反応ガスを生成して送出する反応管と、前記反応管を冷却して高圧水蒸気を生成する反応管冷却装置を備えた炭化水素製造システムが併設され、
前記炭酸ガス分離器から送出された前記炭酸ガスが前記反応管に供給され、
前記吸収式ヒートポンプが二重効用吸収式ヒートポンプであり、
前記反応管冷却装置で生成された前記高圧水蒸気の一部が前記駆動用水蒸気として前記二重効用吸収式ヒートポンプに供給されて前記再生器を加熱し、
前記高圧水蒸気の他部が背圧タービン発電機の背圧タービンを介して前記加熱用水蒸気として前記リボイラーに供給されて前記再生吸収液を加熱する、
請求項１に記載された炭酸ガス回収システム。
【請求項３】
発電機を駆動するガスタービンと、前記ガスタービンの排熱から高圧水蒸気を生成する排熱回収ボイラーを備えたガスタービンコジェネレーションシステムが併設され、
前記吸収式ヒートポンプが二重効用吸収式ヒートポンプであり、
前記排熱回収ボイラーで生成された高圧水蒸気の一部が前記駆動用水蒸気として前記二重効用吸収式ヒートポンプに供給されて前記再生器を加熱し、
前記高圧水蒸気の他部が背圧タービン発電機の背圧タービンを介して前記加熱用水蒸気として前記リボイラーに供給されて前記再生吸収液を加熱する、
請求項１に記載された炭酸ガス回収システム。
【発明の詳細な説明】
【技術分野】
【０００１】
本発明は、燃焼排ガスから炭酸ガスを回収するシステムに関する。
【背景技術】
【０００２】
地球温暖化問題は深刻度を増しており、多量の二酸化炭素を排出する化石燃料を使用する火力発電等を制限する動きもある。しかし、火力発電等の化石燃料を使用する設備は稼働コストが安価であり、大気に放出される二酸化炭素の排出量を環境に悪影響を与えない程度に減少できれば有力な電力供給設備等になり得る。したがって、化石燃料の燃焼によって排出される二酸化炭素を回収して有効利用する「カーボンリサイクル技術」が社会の関心を集め、世界各地で研究・開発されている。
カーボンリサイクル技術は、炭酸ガス回収技術と炭酸ガス利用技術とで構成される。
炭酸ガス回収技術として、例えば特開２０１０−８８９８２号公報に記載の二酸化炭素回収システム１は、燃焼排ガス２に含まれる二酸化炭素を吸収液に吸収させる吸収塔３と、吸収塔３から二酸化炭素を吸収した吸収液４ａが供給され、二酸化炭素を吸収した吸収液４ａから二酸化炭素ガスを放出させてこの吸収液４ａを再生する再生塔６と、再生塔６からの吸収液４ｂを加熱して水蒸気を生成し、この水蒸気を再生塔６に供給するとともに加熱した吸収液を吸収塔３に供給するリボイラー１９と、吸収塔３と再生塔６との間に配置され、吸収塔３から再生塔６に供給される二酸化炭素を吸収した吸収液４ａを加熱する圧縮式ヒートポンプ４０と、を備えている。
炭酸ガス利用技術として、例えば特開２０１１−２４１１８２号公報に記載のメタン合成装置１は、原料ガスの水素ガスと炭酸ガスを触媒が充填された反応器４にコンプレッサ２，３で供給し、メタン化反応させてメタンを合成している。
炭酸ガス利用技術は、種々開発されているが、利用は炭酸ガス回収技術と一体であり、エネルギー消費の少ない炭酸ガス回収技術が開発されない限り、実用化の進展は望めない。
【先行技術文献】
【特許文献】
【０００３】
【特許文献１】特開２０１０−８８９８２号公報
【特許文献２】特開２０１１−２４１１８２号公報
【発明の概要】
【発明が解決しようとする課題】
【０００４】
従来の二酸化炭素回収システムは、再生吸収液を加熱し、再生吸収液に含まれる水から高温の水蒸気を生成するために多量の加熱用水蒸気をリボイラーに供給する必要があり、年間稼働経費の５０％近くを熱エネルギー（再生エネルギー）が占める。炭酸ガス回収量１トン当たりの熱エネルギーは、石炭火力発電の排ガス（炭酸ガス含有率約１５Ｖｏｌ．％）を対象とする場合、約２．５ＧＪ／ｔ−ＣＯ2）と算定されている。さらに、冷却塔、ブロア、ポンプ等の補機用電力費も約２５％を占めており、熱エネルギー費と電力費が年間稼働経費の７５％近くになるエネルギー多消費型のシステムである。【０００５】
本発明は、地球温暖化の防止に役立つエネルギー消費の少ない炭酸ガス回収システムを提供することを目的とする。
【課題を解決するための手段】
【０００６】
排ガスが供給され、前記排ガスに含まれる炭酸ガスを吸収液に吸収させて炭酸ガス含有吸収液を生成する吸収塔と、前記吸収塔から前記炭酸ガス含有吸収液が供給され、前記炭酸ガス含有吸収液を高温の水蒸気で加熱し前記炭酸ガスを放出させて再生吸収液にする再生塔と、前記再生塔から前記再生吸収液が供給され、前記再生吸収液を加熱用水蒸気で加熱して前記再生吸収液に含まれる水の一部を前記高温の水蒸気にして前記再生塔に戻すリボイラーと、前記再生塔から送出された前記再生吸収液と前記吸収塔から送出された前記炭酸ガス含有吸収液との間で熱交換する熱交換器と、前記熱交換器から送出された前記再生吸収液を予冷する再生吸収液冷却器と、冷媒を吸収した吸収液が再生器において駆動用水蒸気で加熱されることによって前記冷媒が蒸発され、蒸発した前記冷媒が凝縮器で凝縮され、凝縮された前記冷媒が低圧の蒸発器で蒸発され、蒸発した前記冷媒が吸収器で前記吸収液に吸収される吸収式ヒートポンプであって、前記熱交換器で昇温された前記炭酸ガス含有吸収液が供給され、前記吸収器の伝熱管および前記凝縮器の伝熱管を介して前記再生塔に送出し、前記熱交換器および前記再生吸収液冷却器で降温された前記再生吸収液が供給され、前記蒸発器の伝熱管を介して前記吸収塔に前記吸収液として環流させる吸収式ヒートポンプと、前記再生塔から前記炭酸ガスとともに供給された水蒸気を凝縮させて前記炭酸ガスを分離する炭酸ガス分離器と、を備える炭酸ガス回収システムである。
【発明の効果】
【０００７】
本発明の炭酸ガス回収システムは、吸収塔と再生塔との間に熱交換器、吸収式ヒートポンプおよび再生吸収液冷却器を設け、吸収塔から再生塔に送流される加熱の必要な炭酸ガス含有吸収液と再生塔から吸収塔に環流される冷却の必要な再生吸収液との間で熱交換器で熱交換させた後に、炭酸ガス含有吸収液を吸収式ヒートポンプの吸収器と凝縮器で加熱し、再生吸収液を再生吸収液冷却器で予冷してから吸収式ヒートポンプの蒸発器で冷却する。
吸収式ヒートポンプは圧縮式ヒートポンプに較べて昇温幅を大きくすることができる。この特性を利用した本発明の炭酸ガス回収システムでは、再生吸収液を再生吸収液冷却器で予冷してから吸収式ヒートポンプの蒸発器で冷却することで、再生塔に流入する炭酸ガス含有吸収液の温度を高く維持した状態で、吸収塔に吸収液として環流する再生吸収液の温度を低くすることができる。吸収液は温度が低いほど炭酸ガス吸収能力が向上し、単位流量当たりの炭酸ガスの吸収量が多くなる。従って、吸収液の温度を低くすることにより、所定流量の炭酸ガスを回収するために吸収塔と再生塔との間で循環する吸収液の流量を減らすことができ、リボイラーで再生吸収液を加熱するために必要な熱エネルギーや吸収液を循環させるためのエネルギーを低減することができる。
また、吸収式ヒートポンプを二重効用吸収式ヒートポンプとした場合、二重効用吸収式ヒートポンプは、圧縮式ヒートポンプに比して一次エネルギーベースでの成績係数（ＣＯＰ）が高いので、地球温暖化防止に貢献することができる。
【図面の簡単な説明】
【０００８】
【図１】第１の実施形態に係る炭酸ガス回収システムの全体構成を示すブロック図である。
【図２】第２の実施形態に係る炭酸ガス回収システムの全体構成を示すブロック図である。
【発明を実施するための形態】
【０００９】
１．第１実施形態の構成
第１実施形態に係る炭酸ガス回収システム１ａは、図１に示すように、吸収塔１０と、再生塔３０と、リボイラー４０と、熱交換器５０と、再生吸収液冷却器５５と、二重効用吸収式ヒートポンプ６０と、炭酸ガス分離器４６と、を備え、炭化水素製造システム７０が併設されている。
【００１０】
吸収塔１０は、例えば両端を球面状端部で閉塞された直立円筒体で、下方側面に排ガス入口１１、上方側面に吸収液入口１２が設けられ、入口１１と入口１２との間には充填材１３が充填されている。入口１１から供給されて上昇する排ガスと入口１２から供給されて下降する吸収液とは充填材１３内で対向接触し、吸収液は排ガスから炭酸ガスを吸収して炭酸ガス含有吸収液となり、底部の貯留部１４に一時滞留した後に吸収塔１０の下面に形成された炭酸ガス含有吸収液出口１５から流出する。吸収塔１０には充填材１３の上方に水洗部１６が形成され、水洗部１６に対向して側面に洗浄水入口１７、出口１８が設けられている。充填材１３を通過中に炭酸ガスを吸収液に吸収・除去された排ガスは、水洗部１６で水洗された後に吸収塔１０の上面に形成された排ガス出口１９から煙突を経由して外気に放出される。吸収液は公知で、アミン化合物を水に溶かしたアミン化合物水溶液を用いる。
【００１１】
火力発電所等から排出される排ガスは、排ガス冷却塔２０に供給される。排ガス冷却塔２０には排ガスクーラ２１で冷却される冷却水がポンプ２２によって循環され、排ガスは排ガス冷却塔２０の下方に形成された入口２３から冷却塔２０に流入する。排ガスは冷却塔２０内で冷却水によって冷却され、頂部に形成された出口２４から排ガスブロワ２５によって吸引され、入口１１から吸収塔１０に流入する。
【００１２】
吸収塔１０の出口１５からポンプ５１によって汲み出された炭酸ガス含有吸収液は、熱交換器５０および吸収式ヒートポンプ６０において加熱され再生塔３０に炭酸ガス含有吸収液入口３１から供給される。再生塔３０は、例えば両端を球面状端部で閉塞された直立円筒体で、上方側面に入口３１および凝縮水入口３２、下方側面に高温再生吸収液入口３３、上面に炭酸ガス出口３４、下面に再生吸収液出口３５、３６が形成されている。
【００１３】
再生塔３０の底部には再生吸収液を一時貯留する貯留部３７が設けられ、再生吸収液はポンプ３８によって貯留部３７から出口３５を通って汲み出され、リボイラー４０に供給される。再生吸収液は、リボイラー４０で加熱用水蒸気によって高温に加熱され、再生吸収液に含まれる水の一部が高温の水蒸気になった状態で入口３３から再生塔３０に戻される。リボイラー４０には、背圧蒸気タービン発電機４１の背圧蒸気タービン４２から加熱用水蒸気が供給される。
【００１４】
背圧蒸気タービン発電機４１において、後述する炭化水素製造システム７０で生成された、高温高圧水蒸気が背圧蒸気タービン４２に供給されてタービンを回転させ、出力軸に連結された発電機４３を駆動する。発電機４３は背圧蒸気タービン４２によって駆動されて電力を出力する。高温高圧水蒸気はタービンを回転させた後に背圧蒸気として背圧蒸気タービン４２から排出され、リボイラー４０に加熱用水蒸気として供給される。
【００１５】
再生塔３０は、炭酸ガス含有吸収液が、吸収塔１０から熱交換器５０および二重効用吸収式ヒートポンプ６０を経由して上部の入口３１から供給される。炭酸ガス含有吸収液は、再生塔３０内を下降する間に上昇する高温の水蒸気で加熱されて炭酸ガスを放出し、再生吸収液になって底部の貯留部３７に滞留する。リボイラー４０は、貯留部３７から再生吸収液が供給され、再生吸収液を加熱用水蒸気で加熱して再生吸収液に含まれる水の一部を高温の水蒸気にした状態で再生塔３０の下部に入口３３から戻す。リボイラー４０から戻された高温の再生吸収液は貯留部３７に環流し、高温の水蒸気は再生塔３０内を頂部に向かって上昇する。下降する炭酸ガス含有吸収液は上昇する高温の水蒸気と向流接触し、高温に加熱されて炭酸ガスを放出する。このように、再生塔３０は、吸収塔１０から炭酸ガス含有吸収液が供給され、炭酸ガス含有吸収液を高温の水蒸気で加熱し炭酸ガスを放出させて再生吸収液にする。
【００１６】
再生塔３０内で炭酸ガス含有吸収液から放出された炭酸ガスは、水蒸気とともに出口３４からクーラー４５を経由して炭酸ガス分離器４６に供給される。炭酸ガス分離器４６は、再生塔３０から炭酸ガスとともに供給された水蒸気を凝縮させて炭酸ガスを分離し、回収した炭酸ガスを炭化水素製造システム７０に供給する。水蒸気が凝縮した凝縮水は炭酸ガス分離器４６の底部に形成された出口４８から再生塔３０に入口３２を通って戻される。
【００１７】
吸収塔１０と再生塔３０との間には熱交換器５０、二重効用吸収式ヒートポンプ６０および再生吸収液冷却器５５が配置されている。熱交換器５０は公知であり、吸収塔１０からポンプ５１によって汲み出された炭酸ガス含有吸収液と、再生塔３０からポンプ５２によって汲み出された再生吸収液との間で熱交換し、炭酸ガス含有吸収液を昇温させ、再生吸収液を降温させる。熱交換器５０で炭酸ガス含有吸収液に熱移動して降温した再生吸収液は再生吸収液冷却器５５でさらに予冷される。熱交換器５０で昇温された炭酸ガス含有吸収液は、二重効用吸収式ヒートポンプ６０の吸収器６３の伝熱管６４および凝縮器６５の伝熱管６６を介して再生塔３０に入口３１から流入する。再生吸収液冷却器５５で予冷された再生吸収液は、二重効用吸収式ヒートポンプ６０の蒸発器６７の伝熱管６８を介して吸収塔１０に吸収液として入口１２から流入する。
【００１８】
二重効用吸収式ヒートポンプ６０は公知であり、冷媒を吸収する性質を有する、例えば臭化リチウム水溶液（以下、吸収液と言う。）が、高温再生器６１、低温再生器６２、吸収器６３を循環する。吸収液は、高温再生器６１において駆動用水蒸気で加熱されることによって吸収した冷媒（水）が蒸発され、その後、低温再生器６２において高温再生器６１で生じた冷媒蒸気（水蒸気）で加熱され、冷媒をさらに蒸発されて濃縮される。蒸発した冷媒は凝縮器６５で凝縮され、低圧の蒸発器６７で蒸発され、吸収器６３で吸収液に吸収される。これにより、炭酸ガス含有吸収液は、吸収器６３で吸収液が冷媒蒸気を吸収するときの発熱、および凝縮器６５での冷媒蒸気の凝縮熱によって加熱され昇温する。再生吸収液は、蒸発器６７での冷媒の蒸発のために蒸発熱を奪われて冷却され降温する。
【００１９】
炭酸ガス回収システム１ａは、公知の炭化水素製造システム７０が併設されている。炭化水素製造システム７０は、水素化反応触媒が充填された反応管７１に水素化反応に適した温度と圧力の水素ガスと炭酸ガスが所定のモル比で供給され、水素ガスと炭酸ガスが水素化反応触媒下で水素化反応して炭化水素を含む高温の反応ガスを生成して送出する。炭酸ガスは炭酸ガス分離器４６から供給される。水素ガスは、ＣＯ2フリー水素ガスを用いると地球温暖化防止に役立つ。
反応ガスは、反応管７１に接続された公知のガス水分離装置７２に供給され、合成炭化水素ガスと水に分離され、合成炭化水素ガスは利用箇所に送出され、水は排出溝に排出される。反応管７１は内部を水素化反応に適した温度に維持するために、反応管冷却装置７３によって冷却水で冷却され、反応管冷却装置７３から高温高圧の水蒸気が送出され、高圧水蒸気の一部は、二重効用吸収式ヒートポンプ６０の高温再生器６１に駆動用水蒸気として供給されるとともに、他部は背圧蒸気タービン発電機４１の背圧蒸気タービン４２に供給される。
【００２０】
２．第１実施形態の作動および効果
火力発電所等から排出された排ガスは、排ガス冷却塔２０に流入し冷却水によって冷却された後に吸収塔１０に下方の入口１１から流入して上昇する。吸収塔１０には上方の入口１２から吸収液が流入して下降する。吸収塔１０内を上昇する排ガスと下降する吸収液とは充填材１３内で対向接触し、吸収液は排ガスから炭酸ガスを吸収して炭酸ガス含有吸収液となり、底部の貯留部１４に一時滞留する。炭酸ガスを吸収・除去された排ガスは、水洗部１６で水洗された後に煙突から放出される。
【００２１】
貯留部１４に滞留された炭酸ガス含有吸収液はポンプ５１によって汲み出され、熱交換器５０および二重効用吸収式ヒートポンプ６０において加熱された後に、再生塔３０に上方の入口３１から流入し底部に向かって下降する。再生塔３０の下部には、高温の水蒸気を含む再生吸収液がリボイラー４０から供給され、水蒸気が再生塔３０内を上昇する。再生塔３０内を下降する炭酸ガス含有吸収液は、上昇する高温の水蒸気と向流接触して高温に加熱され、炭酸ガスを放出して再生吸収液に再生され、貯留部３７に落下して滞留する。
【００２２】
リボイラー４０は、再生吸収液を貯留部３７から供給され、加熱用水蒸気で加熱して再生吸収液に含まれる水の一部を高温の水蒸気に蒸発させた状態で高温の再生吸収液を再生塔３０に戻す。炭化水素製造システム７０の反応管冷却装置７３から、例えば０．８ＭＰａの高温高圧の水蒸気が背圧蒸気タービン発電機４１の背圧蒸気タービン４２に供給され、背圧蒸気タービン４２が発電機４３を駆動した後に排出する、例えば０．２ＭＰａの背圧蒸気がリボイラー４０に加熱用水蒸気として供給され、凝縮後に反応管冷却装置７３に戻される。このように、高温高圧の水蒸気が背圧蒸気タービン４２を駆動した後に排出される背圧蒸気を加熱用水蒸気として無駄なく利用することができる。
【００２３】
高温の水蒸気で加熱されて昇温した炭酸ガス含有吸収液から放出された炭酸ガスは、水蒸気とともにクーラー４５を経由して炭酸ガス分離器４６に供給される。炭酸ガス分離器４６は、水蒸気を凝縮させて分離した炭酸ガスを炭化水素製造システム７０に供給する。凝縮水は炭酸ガス分離器４６から再生塔３０に戻される。
【００２４】
熱交換器５０の低温側には、例えば５０℃の炭酸ガス含有吸収液が吸収塔１０の貯留部１４から供給され、高温側には、例えば１２０℃の再生吸収液が再生塔３０の貯留部３７から供給される。熱交換器５０を通過する間に、炭酸ガス含有吸収液は、例えば８０℃に昇温され、再生吸収液は、例えば８０℃に降温される。
【００２５】
降温された再生吸収液は再生吸収液冷却器５５で、例えば４０℃にさらに予冷された後に、二重効用吸収式ヒートポンプ６０の蒸発器６７で、例えば３０℃に冷却され、吸収塔１０に吸収液として環流する。昇温された炭酸ガス含有吸収液は、二重効用吸収式ヒートポンプ６０の吸収器６３および凝縮器６５で、例えば９０℃に昇温されて再生塔３０流入する。二重効用吸収式ヒートポンプ６０では、炭化水素製造システム７０の反応管冷却装置７３から、例えば０．８ＭＰａの高圧水蒸気が駆動用水蒸気として高温再生器６１に供給され、冷媒を蒸発させて吸収液を濃縮し、凝縮後に反応管冷却装置７３に戻される
【００２６】
炭酸ガス分離器４６から送出された炭酸ガスは、炭化水素製造システム７０に送出され、反応管７１で水素ガスと水素化反応して炭化水素を含む高温の反応ガスに化学変化する。反応ガスは、ガス水分離装置７２に供給され、合成炭化水素ガスと水に分離され、合成炭化水素ガスとして利用箇所に送出される。
【００２７】
第１実施形態に係る炭酸ガス回収システム１ａによれば、熱交換器５０で降温された再生吸収液を再生吸収液冷却器５５でさらに予冷した後に、圧縮式ヒートポンプに較べて昇温幅を大きくすることができる二重効用吸収式ヒートポンプ６０の蒸発器６７に供給することで、再生塔３０に流入する炭酸ガス含有吸収液の温度を高く維持した状態で、吸収塔１０に吸収液として環流する再生吸収液の温度を低くすることができる。これにより、吸収液の単位流量当たりの炭酸ガス吸収量が多くなり、吸収塔１０と再生塔３０との間で循環する吸収液の流量を減らすことができ、リボイラー４０で再生吸収液を加熱するために必要な熱エネルギーや吸収液を循環させるためのエネルギーを低減することができる。さらに、二重効用吸収式ヒートポンプ６０は圧縮式ヒートポンプに比して一次エネルギーベースでの成績係数（ＣＯＰ）が高いので、地球温暖化防止に貢献することができる。
第１実施形態に係る炭酸ガス回収システム１ａは、炭酸ガス回収と炭化水素製造を有機的に融合したシステムであり、地球温暖化防止に寄与することができる。
【００２８】
４．第２実施形態
第２実施形態に係る炭酸ガス回収システム１ｂは、炭酸ガス回収システム１ｂにコジェネレーションシステム８０が併設されている点のみが第１実施形態と異なるので、相違点について説明し、第１実施形態と同じ構成要素には同一の参照番号を付して説明を省略する。
【００２９】
炭酸ガス回収システム１ｂはコジェネレーションシステム８０が併設されている。コジェネレーションシステム８０は、ガスタービン発電機８１、排熱回収ボイラー８２で構成される。ガスタービン発電機８１は、燃料の燃焼によってガスタービンが駆動され、発電機が回転されて電力を送出する。ガスタービンから排出される排ガスは排熱回収ボイラー８２で、高温高圧の水蒸気を生成する。
【００３０】
排熱回収ボイラー８２で生成された高温高圧の水蒸気は、二重効用吸収式ヒートポンプ６０の高温再生器６１に駆動用水蒸気として供給されるとともに、背圧タービン発電機４１の背圧タービン４２を駆動した後に、リボイラー４０に加熱用水蒸気として供給され、凝縮後に排熱回収ボイラー６１に戻される。炭酸ガス分離器４６から送出された炭酸ガスは、炭酸ガス利用箇所８３で使用される。
第２実施形態に係る炭酸ガス回収システム１ｂは、第１実施形態と同様の効果を奏する
【００３１】
第１および第２実施形態に係る炭酸ガス回収システム１ａ、１ｂでは、吸収式ヒートポンプとして二重効用吸収式ヒートポンプ６０を用いたが、一重効用吸収式ヒートポンプを用いても良い。一重効用吸収式ヒートポンプも圧縮式ヒートポンプに較べて昇温幅が大きいので、再生塔３０に流入する炭酸ガス含有吸収液の温度を高く維持した状態で、吸収塔１０に吸収液として環流する再生吸収液の温度を低くすることができる。
【符号の説明】
【００３２】
１ａ，１ｂ：炭酸ガス回収システム、１０：吸収塔、２０：排ガス冷却塔、３０：再生塔  、４０：リボイラー、４１：背圧タービン発電機、４２：背圧タービン、４６：炭酸ガ  ス分離器、５０：熱交換器、５５：再生吸収液冷却器、６０：二重効用吸収式ヒートポ  ンプ、６１：高温再生器（再生器）、６３：吸収器、６５：凝縮器：６７：蒸発器、６  ４，６６，６８：伝熱管、７０：炭化水素製造システム、７１：反応管、７３：反応管  冷却装置、８０：コジェネレーションシステム、８１：ガスタービン発電機、８２：排  熱回収ボイラー
【要約】
排ガスに含まれる炭酸ガスを吸収液に吸収させて炭酸ガス含有吸収液を生成する吸収塔と、吸収塔から供給された炭酸ガス含有吸収液を加熱し炭酸ガスを放出させて再生吸収液にする再生塔と、再生塔から供給された再生吸収液を加熱用水蒸気で加熱して再生塔に戻すリボイラーと、前記再生吸収液と前記炭酸ガス含有吸収液との間で熱交換する熱交換器と、熱交換器から送出された再生吸収液を予冷する再生吸収液冷却器と、駆動用水蒸気によって再生器が加熱され、熱交換器で昇温された炭酸ガス含有吸収液が供給され吸収器の伝熱管および凝縮器の伝熱管を介して再生塔に送出し、熱交換器および再生吸収液冷却器で降温された再生吸収液が供給され蒸発器の伝熱管を介して吸収塔に吸収液として環流させる吸収式ヒートポンプと、再生塔から炭酸ガスとともに供給された水蒸気を凝縮させて炭酸ガスを分離する炭酸ガス分離器と、を備える炭酸ガス回収システム。【図１】
0006820639.tif 000002
【図２】
0006820639.tif 000003